(57)【要約】  【課題】スライダーを装備したファスナーチエンを重ね合わせ、連結体を介してスライダーを上下面で連結し、ファスナーチエンを同時、または別個に開閉する。  【解決手段】下側スライダー５−Ｕの引手取付部１０−Ｕを樹脂製の連結体１４に埋装固定し、連結体１４の上面に上側スライダー５−Ｏ嵌合するための嵌合部１６を形成し、この嵌合部１６に上側スライダー５−Ｏの下翼板８−Ｏを係止できる係止突部２０を設け、使用状態によって、上側スライダー５−Ｏと連結体１４とを連結し、または分離して重ね合わせたファスナーチエン１を同時に開閉し、または片方のみを開閉する重合タイプのスライドファスナーである。  【選択図】図３
2006223519.tif 000002
【特許請求の範囲】
【請求項１】
ファスナーチエン１を開閉するためのスライダー５を有するスライドファスナーにおいて、ファスナーチエン１を重合状に配し、スライダー５を上下に重合して互いに係脱可能に形成し、それぞれのファスナーチエン１にスライダー５を同一方向を指向する形に挿通してなることを特徴とする重合タイプのスライドファスナー。
【請求項２】
上側スライダー５−Ｏの胴体６−Ｏの一部を嵌合できる嵌合部１６を凹設し、かつ下側スライダー５−Ｕの胴体６−Ｕの一部を収容できる収容部１７を設けた連結体１４を介して上下スライダー５−Ｏ、５−Ｕを係脱可能に形成してなる請求項１記載の重合タイプのスライドファスナー。
【請求項３】
樹脂製の連結体１４における上面に凹設した嵌合部１６の周縁の一部に上側下翼板８−Ｏを係止できる係止突部２０を設け、連結体１４の下面に設けた収容部１７に下側引手取付部１０−Ｕを埋装し収容してなる請求項１または２記載の重合タイプのスライドファスナー。
【請求項４】
樹脂製の連結体１４の下面に下側スライダー５−Ｕの胴体６−Ｕを取り付け、連結体１４の上面に嵌合部１６を設け、該嵌合部１６の一端に開口部１８を設けて、上側スライダー５−Ｏの胴体６−Ｏを滑動し開口部１８から嵌合部１６へ圧入してなる請求項１記載の重合タイプのスライドファスナー。
【請求項５】
上側スライダー５−Ｏの胴体６−Ｏにおける下翼板８−Ｏの下面にスナップタイプの凸片２２を突設し、下側スライダー５−Ｕの胴体６−Ｕの一部に取り付けた連結体１４の上面にスナップタイプの凹部２３を形成してなる請求項１記載の重合タイプのスライドファスナー。
【請求項６】
下側スライダー５−Ｕの胴体６−Ｕの一部に取り付けた樹脂製の連結体１４の前後面に摘み片２５を突設してなる請求項１記載の重合タイプのスライドファスナー。
【発明の詳細な説明】
【技術分野】
【０００１】
この発明は、ファスナーチエンを二重状に重ね合わせて、互いに係合離脱ができるスライダーを二重のファスナーチエンのそれぞれに挿通し、一括または別個に開閉できる重合タイプのスライドファスナーに関するものである。
【背景技術】
【０００２】
従来のファスナーチエンを重合状に重ね合わせたスライドファスナーは、例えば図１２および１３に示すように、ファスナーチエンを重合状に重ね合わせ、ファスナーチエンを一括同時に開閉できるようにファスナーエレメントガイド溝を上下に備えたスライダーを重合状のファスナーチエンにそれぞれ挿通した重合タイプのスライドファスナーが知られている。
【特許文献１】実開昭５２−１１５３０５号広報
【特許文献２】実開昭５２−１４４８０３号公報
【発明の開示】
【発明が解決しようとする課題】
【０００３】
前述の図１０および１１に示した重合タイプのスライドファスナーは、それぞれファスナーチエンを重合状に重ね合わせ、このファスナーチエンを一括同時に開閉することができるように作製するため、ファスナーエレメントをガイドするエレメントガイド溝を上下に備えた１個のスライダーを上下に配されたファスナーチエンに挿通したものであり、衣服などに使用したとき、一方のファスナーチエンのみを開閉したいときも、上下同時に開閉しなければならないなど問題点がある。
【０００４】
この発明は、上述の問題点を考慮して発明されたものであり、請求項１記載の発明は、ファスナーテープ２の一側縁にファスナーエレメント３を取り付けた左右一対のファスナーストリンガーからなるファスナーチエン１を上下に重ね合わせ、このファスナーチエン１に別体のスライダー５を挿通し、かつスライダー５は連結体１４を用いて上下面で互いに係合離脱することができ、従って重合状のファスナーチエン１を上下で係合したスライダー５によって同時に開閉することができ、またスライダー５を離脱させて一方のみのスライダー５によってファスナーチエン１を開閉することができる重合タイプのスライドファスナーを提供することが主たる目的である。
【０００５】
請求項２記載の発明は、請求項１記載の発明の目的に加え、上側スライダー５−Ｏを下側スライダー５−Ｕを連結する連結体１４の形態を特定し、上下で重合したスライダー５が的確かつ有効に機能を発揮できる重合タイプのスライドファスナーを提供することが目的である。
【０００６】
請求項３記載の発明は、請求項１または２記載の発明の目的に加え、連結体１４は樹脂製で上面に上側スライダー５−Ｏを嵌合できる嵌合部１６を設け、下面に設けた収容部１７に対し、下側スライダー５−Ｕの引手取付部１０−Ｕを一体的に埋装するか、または連結体１４の下面に設けた収容部１７に対し、引手取付部１０−Ｕを圧入し固定する重合タイプのスライドファスナーを提供することが目的である。
【０００７】
請求項４記載の発明は、請求項１記載の発明の目的に加え、樹脂製の連結体１４の下面に下側スライダー５−Ｕを取り付け、上面の嵌合部１６の上側スライダー５−Ｏをスライド式に圧入し固定した重合タイプのスライドファスナーを提供することが目的である。
【０００８】
請求項５記載の発明は、請求項１記載の発明の目的に加え、連結体１４の下面に下側スライダー５−Ｕを取り付けた連結体１４の上面へ上側スライダー５−Ｏをスナップファスナータイプで固定できる重合タイプのスライドファスナーを提供することが目的である。
【０００９】
請求項６記載の発明は、請求項１記載の発明の目的に加え、下側スライダー５−Ｕを取り付けた樹脂製の連結体１４には、前後方向へ引っ張ることができる摘み片２５を一体に設けた重合タイプのスライドファスナーを提供することが目的である。
【課題を解決するための手段】
【００１０】
前記の目的を達成するため、この発明のうち請求項１記載の発明は、ファスナーテープ２の一側縁にファスナーエレメント３を取り付けた左右一対のファスナーストリンガーからなるファスナーチエン１を上下に重ね合わせ、別体のスライダー５を上下に重ね合わせて互いに係合、離脱できるように形成し、それぞれのファスナーチエン１にスライダー５を同じ方向を向くように挿通した重合タイプのスライドファスナーを主な構成とするものである。
【００１１】
請求項２記載の発明は、請求項１記載の発明の構成に加え、上下に重ね合わせたスライダー５を連結することができる連結体１４は、上側スライダー５−Ｏの胴体６−Ｏの一部を嵌合できる嵌合部１６を凹設し、下側スライダー５−Ｕの胴体６−Ｕの一部を収容できる収容部１７を設け、この連結体１４を介してスライダー５を係合、離脱できるように形成した重合タイプのスライドファスナーである。
【００１２】
請求項３記載の発明は、請求項１または２記載の発明の構成に加え、合成樹脂から成形した連結体１４は、上面に凹状に設けた嵌合部１６の周縁の一部に、上側スライダー５−Ｏの下翼板８−Ｏを係止できる係止突部２０を内方へ向けて設け、連結体１４の下面に設けた収容部１７に下側スライダー５−Ｕの引手取付部１０−Ｕを埋装する形で成形して収容した重合タイプのスライドファスナーである。
【００１３】
請求項４記載の発明は、請求項１記載の発明の構成に加え、合成樹脂から成形した連結体１４は、下面に下側スライダー５−Ｕの胴体６−Ｕを取り付け、連結体１４の上面に嵌合部１６を設け、この嵌合部１６の一端に開口部１８を設けて、上側スライダー５−Ｏの胴体６−Ｏをスライド式に開口部１８から嵌合部１６へ圧入して固定した重合タイプのスライドファスナーである。
【００１４】
請求項５記載の発明は、請求項１記載の発明の構成に加え、上側スライダー５−Ｏの胴体６−Ｏにおける下翼板８−Ｏの下面にスナップファスナータイプの凸片２２を設け、下側スライダー５−Ｕの胴体６−Ｕの一部に取り付けた連結体１４の上面にスナップファスナータイプの凹部２３を設け、係合、離脱できるように成形した重合タイプのスライドファスナーである。
【００１５】
請求項６記載の発明は、請求項１記載の発明の構成に加え、上下に重ね合わせた下側スライダー５−Ｕの胴体６−Ｕの一部に取り付けた合成樹脂から成形した連結体１４の前後面に連結体１４を摘むための摘み片２５を突設した重合タイプのスライドファスナーである。
【発明の効果】
【００１６】
この出願の発明の効果として、請求項１記載の発明は、ファスナーチエンを重合状に配し、スライダーを上下に重合して互いに係脱可能に形成し、それぞれのファスナーチエンにスライダーを同一方向を指向する形に挿通したことによって、ファスナーチエンを上下に重ね合わせ、それぞれのファスナーチエンに別体のスライダーを同一方向を指向するように挿通し、スライダーを連結体を用いて上下面を係合し、また離脱することができ、重合状のファスナーチエンを上下に係合したスライダーによって同時に開閉し、またスライダーを離脱して一方のスライダーによって、ファスナーチエンを開閉できる作用を有し、例えばウエアを重ね合わせたアンダーウエアとインナーウエアの脇の下の開口部に用いることによって、通気または遮蔽を自由に司ることができる効果がある。
【００１７】
請求項２記載の発明は、請求項１記載の発明の効果に加え、上側スライダーの胴体の一部を嵌合できる嵌合部を凹設し、かつ下側スライダーの胴体の一部を収容できる収容部を設けた連結体を介してスライダーを係脱可能に形成したことによって、上下に配したスライダーを連結するための連結体は、上側スライダーと下側スライダーとを容易に収容できる収容部と容易に嵌合できる嵌合部を設け、かつ簡単に連結または離脱できる効果がある。
【００１８】
請求項３記載の発明は、請求項１または２記載の発明の効果に加え、樹脂製の連結体における上面に凹設した嵌合部の周縁の一部に上側下翼板を係止できる係止突部を設け、連結体の下面に設けた収容部に下側引手取付部を埋装し収容したことによって、樹脂製の連結体は上面に上側スライダーを的確に嵌合し、下側スライダーを離脱不能に収容部に埋装してスライダーの係脱を容易にすることができる効果がある。
【００１９】
請求項４記載の発明は、請求項１記載の発明の効果に加え、樹脂製の連結体の下面に下側スライダーの胴体を取り付け、連結体の上面に嵌合部を設け、該嵌合部の一端に開口部を設けて、上側スライダーの胴体を滑動し開口部から嵌合部へ圧入したことによって、樹脂製の連結体の下面に下側スライダーを埋装または圧入して取り付け、上面に上側スライダーを嵌合部連通する開口部から弾力性を生かして圧入することができ、上側スライダーの取り付けが簡単にできる効果がある。
【００２０】
請求項５記載の発明は、請求項１記載の発明の効果に加え、上側スライダーの胴体における下翼板の下面にスナップタイプの凸片を突設し、下側スライダーの胴体の一部に取り付けた連結体の上面にスナップタイプの凹部を形成したことによって、上側スライダーと連結体とを連結するのに凹凸状のスナップタイプの係止機構を採用し、上側スライダーと連結体との取り付けを簡易に行える効果がある。
【００２１】
請求項６記載の発明は、請求項１記載の発明の効果に加え、下側スライダーの胴体の一部に取り付けた樹脂製の連結体の前後面に摘み片を突設したことによって、下側スライダーを上側スライダーと離脱解放状態において、自由自在に移動操作ができる効果があるなど、この発明が奏する効果はきわめて顕著である。
【発明を実施するための最良の形態】
【００２２】
この発明における重合タイプのスライドファスナーは、図１に示すようにファスナーテープ２の側縁部に適宣の噛合部４を有するファスナーエレメント３を取り付けたスライドファスナーを重合状に使用製品に取り付け、重合状の上側ファスナーチエン１−Ｏにスライダー５−Ｏを挿通し、また下側ファスナーチエン１−Ｕにスライダー５−Ｕを取り付けた熱可塑性樹脂製の連結体１４を挿通し、連結体１４は上面に上側スライダー５−Ｏが嵌合できる嵌合部１６を設け、この嵌合部１６の周縁には上側スライダー５−Ｏの胴体６−Ｏにおける下翼板８−Ｏを勘合し、係止できる係合突部２０を突設して上側スライダー５−Ｏを連結体１４に連結する。
【００２３】
連結体１４は図３に示すように熱可塑性樹脂製の連結体１４に形成する収容部１７に下側スライダー５−Ｕの胴体６−Ｕにおける引手取付部１０−Ｕを成形と同時に埋め込み固定する。下側スライダー５−Ｕに固定された連結体１４に下側スライダー５−Ｕを装備した下側ファスナーチエン１−Ｕを挿通し、この連結体１４に上側ファスナーチエン１−Ｏを挿通し、上側スライダー５−Ｏの引手取付部１０−Ｏに引手１３を装着して重合タイプのスライドファスナーを完成する。
【００２４】
完成した重合タイプのスライドファスナーは、図１０に示すようにアウターウエア２８とインナーウエア２９とを重ね合わせたウエア２７に取り付けて用いる。例えばインナーウエア２９の脇の下に下側ファスナーチエン１−Ｕを取り付け、アウターウエア２８の脇の下に上側ファスナーチエン１−Ｏを取り付け、この両ファスナーチエン１−Ｏ、１−Ｕを連結体１４によって連結して一体化し、両ファスナーチエン１−Ｏ、１−Ｕに挿通した上側スライダー５−Ｏと下側スライダー５−Ｕで開放し、また閉鎖させる。場合によってはインナーウエア２９を閉鎖しアウターウエア２８を開放したいときは、連結体１４から上側スライダー５−Ｏを離脱して上側スライダー５−Ｏを操作して開放する。またこの逆の場合は、インナーウエア２９の脇の下の下側ファスナーチエン１−Ｕを開放しアウターウエア２８の脇の下の閉鎖させるときは、双方のスライダー５−Ｏ、５−Ｕによって開放し、連結体１４から上側スライダー５−Ｏを離脱し、上側ファスナーチエン１−Ｏのみを閉鎖すればよい。なお変形例については各実施例で説明する。
【実施例１】
【００２５】
図１〜５に示す実施例１の重合タイプのスライドファスナーについて説明すると、ファスナーチエン１を重ね合わせ状に配し、各ファスナーチエン１はファスナーテープの側縁へ銅合金、亜鉛合金、アルミニウム合金から形成された噛合部４を有するファスナーエレメント３、またポリアミド、ポリエステル、ポリプロピレン、ポリブチレンテレフタレートなどの熱可塑性樹脂を射出成形手段によって成形されたファスナーエレメント３、さらにポリアミド、ポリエステルのモノフィラメントをコイル状に捲回してコイル状ファスナーエレメント３、またはモノフィラメントをジグザグ状に屈曲したジグザグ状ファスナーエレメント３からなる各種のファスナーエレメントを取り付けてファスナーチエン１を形成している。
【００２６】
このファスナーチエン１を重合状に重ね合わせ上側ファスナーチエン１−Ｏに上側スライダー５−Ｏを挿通し、また下側ファスナーチエン１−Ｕに下側スライダー５−Ｕを挿通する。上側スライダー５−Ｏおよび下側スライダー５−Ｕはともに各種のファスナーエレメント３をガイドするガイドフランジ３１を上側上翼板７−Ｏまたは下側上翼板７−Ｕの所定位置すなわち縁部に設け、このフランジ３１は上側案内柱９−Ｏおよび下側案内柱９−Ｕとの間で上側ファスナーチエン１−Ｏおよび下側ファスナーチエン１−Ｕのファスナーエレメント３による噛合部４を係合、分離する役目を果す、上側スライダー５−Ｏの上面には、引手取付部１０−Ｏを設けて引手１２を装着する。
【００２７】
下側スライダー５−Ｕは図２，３に示すように、下側スライダー５−Ｕの胴体６−Ｕにおける引手取付部１０−Ｕを熱可塑性樹脂、例えばポリアミド、ポリエステル、ポリプロピレン、ポリブチレンテレフタレートなどの樹脂から射出成形される連結体１４に埋め込むための収容部１７を設け、この収容部１７に引手取付部１０−Ｕを埋装固定した下側スライダー５−Ｕに下側ファスナーチエン１−Ｕを挿通する。
【００２８】
連結体１４の上面には、上側スライダー５−Ｏの胴体６−Ｏにおける下翼板８−Ｏを嵌合できる嵌合部１６を設け、この嵌合部１６には下翼板８−Ｏを係止できる係止突部２０を案内柱９−Ｏの両側における下翼板８−Ｏの後側すなわち胴体６−Ｏ内に設けたガイド突条部２１の後端を係止する係止突部２０を設けて上側スライダー５−Ｏを嵌合し係止固定できる嵌合部１６を設ける。
【００２９】
使用態様を説明すると、図１、２に示すように、連結体１４を取り付けた下側ファスナーチエン１−Ｕにおいて連結体１４の上面に形成した嵌合部１６に対して、上側ファスナーチエン１−Ｏに挿通した上側スライダー５−Ｏを嵌合部１６に嵌合し、係止突部２０によって上側スライダー５−Ｏの下翼板８−Ｏを係止固定する。この上側ファスナーチエン１−Ｏおよび下側ファスナーチエン１−Ｕを図１０，１１に示すようにアンダーウエア２８とインナーウエア２９の脇の下に取り付け、連結体１４と上側スライダー５−Ｏとを連結した状態で摺動させるとアウターウエア２８とインナーウエア２９に取り付けた両ファスナーチエン１は同時に開閉する。またアウターウエア２８とインナーウエア２９との開閉を別個に行う場合は連結体１４と上側スライダー５−Ｏとの連結を解除して別個の開閉操作を行えばよい。なおファスナーチエン１を重合する場合、２つのファスナーチエン１を重合するのみでなく、２つ以上のファスナーチエン１を重合してもよい。
【実施例２】
【００３０】
図６に示す実施例２の重合タイプのスライドファスナーは、上側スライダー５−Ｏと下側スライダー５−Ｕとを連結するための連結体１４の変形例を示すものであり、連結体１４は下側スライダー５−Ｕの引手取付部１０−Ｕを収容するための収容部１７を前例と異なり、空洞の収容部１７の両側壁を多少内方へ膨出し、収容する引手取付部１０−Ｕを収容部１７へ圧入して固定するものであり、使用態様も全く同一である。
【実施例３】
【００３１】
図７に示す実施例３の重合タイプのスライドファスナーは、上側スライダー５−Ｏと下側スライダー５−Ｕとを連結するための連結体１４の変形例を示すものであり、連結体１４に連結する上側スライダー５−Ｏの下翼板８−Ｏの表面に凸円状に突出し、先端に膨大部を形成したスナップファスナーの凸部２２を形成し、これに対する連結体１４の表面には凹状の円環部を形成して先端部分を膨大状に張み出すスナップファスナーの凹部２３を形成し、上側スライダー５−Ｏと連結体１４とを連結するものであり、他の構成は前例と同一である。
【実施例４】
【００３２】
図８に示す実施例４の重合タイプのスライドファスナーは、上側スライダー５−Ｏと下側スライダー５−Ｕとを連結する連結体１４の変形例を示すもので、連結体１４はエラストマー系熱可塑性樹脂、好ましくはポリエステルエラストマーを用いるのがよい。具体的な形態は連結体１４の上面に上側スライダー５−Ｏの胴体６−Ｏにおける頭部側の外形に合致し、下翼板８−Ｏが上方へ抜脱しないように係止突部２０を案内柱９−Ｏの両側における下翼板８−Ｏに係止する。また胴体６−Ｏを滑動して嵌合部１６へ挿入するため、入口が漸次拡大する開口部を形成する。開口部１８の両側には適宜形状の凹陥部分を設けて弾性部１９を形成し、スライダーの挿入を容易にする。
【実施例５】
【００３３】
図９に示す実施例５の重合タイプのスライドファスナーは、下側スライダー５−Ｕを取り付けた連結体１４の摺動操作を容易にするため、上面に所定の嵌合部１６を設けるとともに、連結体１４の前後面に摘み用の摘み片２５を設けたものであり、前後から下側スライダー５−Ｕを容易に操作することができ、使用に際しては連結体１４の上面に上側スライダー５−Ｏの下翼板８−Ｏを嵌合して使用する。
【産業上の利用可能性】
【００３４】
この発明の重合タイプのスライドファスナーは、ファスナーチエンを上下に重ね合わせ、それぞれのウエアに取り付け、ウエアを同時に分離開放し、または閉鎖し、あるいは同時にまたは片方づつ別個に操作できる。アウターウエアとインナーウエアから形成されたウエアの脇の下に用いて使用する。なお同様の操作を必要とする他のウエアの部分に使用してもよい。またこの発明は、ウエアなどの衣服にとどまらずバッグなどにも使用することができる。
【図面の簡単な説明】
【００３５】
【図１】重合タイプのスライドファスナーの斜視図である。
【図２】同上スライドファスナーの上側スライダーと連結体とを分離した状態を示す側面図である。
【図３】同上スライドファスナーの上側スライダーと連結体とを連結した断面図である。
【図４】同上スライドファスナーの連結状態を示す斜視図である。
【図５】同上スライドファスナーの連結体と上側スライダーとの連結状態を示す正面図である。
【図６】収容部の変形例を示す断面図である。
【図７】上側スライダーと連結体の変形例を示す一部断面で示す側面図である。
【図８】上側スライダーを変形の連結体に挿入する説明図である。
【図９】連結体の変形例を示す一部断面で示す側面図である。
【図１０】分離状体のウエアの正面図である。
【図１１】結合した状態のウエアの正面図である。
【図１２】公知のスライドファスナーの断面図である。
【図１３】他の公知のスライドファスナーの斜視図である。
【符号の説明】
【００３６】
１          ファスナーチエン
５−Ｏ      上側スライダー
５−Ｕ      下側スライダー
６−Ｏ      上側胴体
６−Ｕ      下側胴体
８−Ｏ      上側下翼板
１０−Ｕ    下側引手取付部
１４        連結体
１６        嵌合部
１７        収容部
１８        開口部
２０        係止突部
２２        スナップタイプの凸部
２３        スナップタイプの凹部
２５        摘み片
【図１】
2006223519.tif 000003
【図２】
2006223519.tif 000004
【図３】
2006223519.tif 000005
【図４】
2006223519.tif 000006
【図５】
2006223519.tif 000007
【図６】
2006223519.tif 000008
【図７】
2006223519.tif 000009
【図８】
2006223519.tif 000010
【図９】
2006223519.tif 000011
【図１０】
2006223519.tif 000012
【図１１】
2006223519.tif 000013
【図１２】
2006223519.tif 000014
【図１３】
2006223519.tif 000015